(57)【要約】【課題】製造が容易なコアを備えた誘導機器を提供する。【解決手段】第１Ｅ型コア１２の中央磁脚１５の幅方向における先端面１５１の中央部には凸部１８が突設されている。第２Ｅ型コア１３の中央磁脚２０の幅方向における先端面２０１の中央部には凸部２３が突設されている。凸部２３は、第１Ｅ型コア１２側の凸部１８と同形同大であり、第１Ｅ型コア１２と第２Ｅ型コア１３とは、同形同大である。第１Ｅ型コア１２は、左右対称形状であり、第２Ｅ型コア１３は、左右対称形状である。中央磁脚１５側の凸部１８の先端面１８１と中央磁脚２０側の凸部２３の先端面２３１とが面接合している。第１Ｅ型コア１２側の凸部１８と第２Ｅ型コア１３側の凸部２３とは、中央磁脚１５の先端面１５１と中央磁脚２０の先端面２０１との間にギャップＧ１を形成する。【選択図】図１
2011176253.tif 000002
【特許請求の範囲】
【請求項１】
複数の磁脚を有するコアを一対対向して組み合わせた誘導機器において、
前記複数の磁脚のうちの少なくとも１つの先端にギャップ形成用凸部が設けられており、前記一対のコアは、同形同大であって、回転対称に組み合わせられている誘導機器。
【請求項２】
前記コアは、一対の磁脚を有する請求項１に記載の誘導機器。
【請求項３】
前記コアは、中央磁脚と、前記中央磁脚の両側に設けられた一対の外側磁脚とを有し、前記中央磁脚及び前記一対の外側磁脚のうちの少なくとも１つの先端にギャップ形成用凸部が設けられている請求項１に記載の誘導機器。
【請求項４】
前記ギャップ形成用凸部は、前記中央磁脚の先端に設けられている請求項３に記載の誘導機器。
【請求項５】
前記ギャップ形成用凸部は、単一である請求項１乃至請求項４のいずれか１項に記載の誘導機器。
【請求項６】
前記コアは、左右対称である請求項１乃至請求項５のいずれか１項に記載の誘導機器。
【発明の詳細な説明】
【技術分野】
【０００１】
本発明は、複数の磁脚を有するコアを一対対向して組み合わせた誘導機器に関する。
【背景技術】
【０００２】
特許文献１に開示されているこの種のリアクトルコア（誘導機器のコアの一種であってＥＥ型コア）では、ギャップを設けて大電流領域のインダクタンスを確保する必要がある。特許文献２，３では、ＥＩ型コアが開示されており、ＥＩ型コアの中央磁脚に貫通孔形状のギャップが設けられている。このような貫通孔形状のギャップをＥＥ型コアに適用することは可能である。
【先行技術文献】
【特許文献】
【０００３】
【特許文献１】特開２００５−１５０４１４号公報
【特許文献２】特開平７−１８３１３４号公報
【特許文献３】特開２００７−１６５３４６号公報
【発明の概要】
【発明が解決しようとする課題】
【０００４】
しかし、貫通孔形状のギャップを精度良く形成することは難しく、コアの製造が容易でない。
本発明は、製造が容易なコアを備えた誘導機器を提供することを目的とする。
【課題を解決するための手段】
【０００５】
本発明は、複数の磁脚を有するコアを一対対向して組み合わせた誘導機器を対象とし、請求項１の発明では、前記複数の磁脚のうちの少なくとも１つの先端にギャップ形成用凸部が設けられており、前記一対のコアは、同形同大であって、回転対称に組み合わせられている。
【０００６】
一対のコアを組み合わせた状態では、ギャップ形成用凸部に対する接合対象である磁脚と、ギャップ形成用凸部を設けた磁脚との間にギャップが形成される。ギャップ形成用凸部の形成は、貫通孔形状のギャップの形成に比べて容易であり、且つ一対のコアが同形同大であるため、コアの製造が容易である。
【０００７】
好適な例では、前記コアは、一対の磁脚を有する、所謂Ｕ型コアである。
好適な例では、前記コアは、中央磁脚と、前記中央磁脚の両側に設けられた一対の外側磁脚とを有する、所謂Ｅ型コアであり、前記中央磁脚及び前記一対の外側磁脚のうちの少なくとも１つの先端にギャップ形成用凸部が設けられている。
【０００８】
好適な例では、前記ギャップ形成用凸部は、前記中央磁脚の先端に設けられている。
好適な例では、前記ギャップ形成用凸部は、単一である。
単一のギャップ形成用凸部の形成は、最も簡便である。
【０００９】
好適な例では、前記コアは、左右対称である。
左右対称構成は、一対のコアの組み付け間違いの回避に寄与する。
【発明の効果】
【００１０】
本発明は、製造が容易なコアを備えた誘導機器を提供することができるという優れた効果を奏する。
【図面の簡単な説明】
【００１１】
【図１】第１の実施形態を示し、（ａ）は、ＥＥ型リアクトルコアの斜視図。（ｂ）は、平面図。
【図２】別の実施形態を示す一部省略平面図。
【図３】別の実施形態を示す一部省略平面図。
【図４】別の実施形態を示す一部省略平面図。
【図５】別の実施形態を示す一部省略平面図。
【図６】別の実施形態を示す一部省略平面図。
【図７】別の実施形態を示す一部省略平面図。
【図８】別の実施形態を示す一部省略平面図。
【図９】別の実施形態を示す一部省略平面図。
【図１０】別の実施形態を示す一部省略平面図。
【図１１】別の実施形態を示す一部省略平面図。
【図１２】別の実施形態を示す一部省略平面図。
【図１３】別の実施形態を示す一部省略平面図。
【図１４】別の実施形態を示す一部省略平面図。
【図１５】別の実施形態を示す一部省略平面図。
【図１６】別の実施形態を示す一部省略平面図。
【図１７】別の実施形態を示す一部省略平面図。
【図１８】別の実施形態を示す一部省略平面図。
【図１９】別の実施形態を示す平面図。
【図２０】別の実施形態を示す一部省略平面図。
【図２１】別の実施形態を示す一部省略平面図。
【図２２】別の実施形態を示す平面図。
【図２３】別の実施形態を示す平面図。
【図２４】別の実施形態を示す平面図。
【発明を実施するための形態】
【００１２】
以下、本発明をリアクトルに具体化した第１の実施形態を図面に基づいて説明する。
図１（ａ），（ｂ）に示すように、誘導機器としてのリアクトルに備えられたリアクトルコア１１は、第１Ｅ型コア１２と第２Ｅ型コア１３とを対向して組み合わせたＥＥ型コアにて構成されている。
【００１３】
第１Ｅ型コア１２は、六面体形状の本体部１４と、六面体形状の中央磁脚１５と、一対の外側磁脚（六面体形状の第１外側磁脚１６及び六面体形状の第２外側磁脚１７）とを備えている。中央磁脚１５は、本体部１４の長さ方向（矢印Ｒ１で示す方向）における内面１４１の中央部に連結されている。第１外側磁脚１６は、内面１４１の長さ方向Ｒ１における一端部に連結されており、第２外側磁脚１７は、内面１４１の長さ方向Ｒ１における他端部に連結されている。中央磁脚１５、第１外側磁脚１６及び第２外側磁脚１７は、本体部１４に対して垂直であって互いに平行に延びている。第１外側磁脚１６の長さＬ１及び第２外側磁脚１７の長さＬ２は、同じであり、第１外側磁脚１６の幅Ｈ１及び第２外側磁脚１７の幅Ｈ２は、同じである。中央磁脚１５の長さＬ３は、第１外側磁脚１６及び第２外側磁脚１７の長さＬ１，Ｌ２よりも短い。中央磁脚１５と第１外側磁脚１６との間隔Ｗ１と、中央磁脚１５と第２外側磁脚１７との間隔Ｗ２とは、同一である。
【００１４】
中央磁脚１５の幅方向（矢印Ｒ１で示す方向）における先端面１５１の中央部には凸部１８が突設されている。本体部１４の内面１４１から凸部１８の先端までの距離は、第１外側磁脚１６及び第２外側磁脚１７の長さＬ１，Ｌ２に等しい。
【００１５】
第２Ｅ型コア１３は、六面体形状の本体部１９と、六面体形状の中央磁脚２０と、一対の外側磁脚（六面体形状の第１外側磁脚２１及び六面体形状の第２外側磁脚２２）とを備えている。中央磁脚２０は、本体部１９の長さ方向（矢印Ｒ１で示す方向）における内面１９１の中央部に連結されている。第１外側磁脚２１は、内面１９１の長さ方向Ｒ１における一端部に連結されており、第２外側磁脚２２は、内面１９１の長さ方向Ｒ１における他端部に連結されている。中央磁脚２０、第１外側磁脚２１及び第２外側磁脚２２は、本体部１９に対して垂直であって互いに平行に延びている。
【００１６】
第１外側磁脚２１の長さＬ４及び第２外側磁脚２２の長さＬ５は、第１外側磁脚１６及び第２外側磁脚１７の長さＬ１，Ｌ２と同じである。第１外側磁脚２１の幅Ｈ３及び第２外側磁脚２２の幅Ｈ４は、第１外側磁脚１６及び第２外側磁脚１７の幅Ｈ１，Ｈ２と同じである。中央磁脚２０の長さＬ６は、中央磁脚１５の長さＬ３と同じである。中央磁脚２０の長さＬ６は、第１外側磁脚２１及び第２外側磁脚２２の長さＬ４，Ｌ５よりも短い。中央磁脚１５の幅Ｈ５と中央磁脚２０の幅Ｈ６とは、同じである。中央磁脚２０と第１外側磁脚２１との間隔Ｗ３及び中央磁脚２０と第２外側磁脚２２との間隔Ｗ４は、間隔Ｗ１，Ｗ２と同じである。
【００１７】
中央磁脚２０の幅方向（矢印Ｒ１で示す方向）における先端面２０１の中央部には凸部２３が突設されている。凸部２３は、第１Ｅ型コア１２側の凸部１８と同形同大であり、第１Ｅ型コア１２と第２Ｅ型コア１３とは、同形同大である。凸部１８，２３の断面形状（矢印Ｒ１で示す幅方向と平行、且つ図１（ａ）に矢印Ｒ２で示すＥ型コア１２，１３の厚み方向と垂直な仮想平面上での形状）は、矩形である。第１Ｅ型コア１２は、中央磁脚１５を幅方向に２等分割する中心線１５０を中心にして左右対称形状であり、第２Ｅ型コア１３は、中央磁脚２０を幅方向に２等分割する中心線２００を中心にして左右対称形状である。
【００１８】
第１Ｅ型コア１２の中央磁脚１５と第２Ｅ型コア１３の中央磁脚２０とは、対向しており、中央磁脚１５側の凸部１８の先端面１８１と中央磁脚２０側の凸部２３の先端面２３１とが面接合している。第１外側磁脚１６の先端面１６１と第２外側磁脚２２の先端面２２１とは、面接合しており、第２外側磁脚１７の先端面１７１と第１外側磁脚２１の先端面２１１とは、面接合している。
【００１９】
同形同大の第１Ｅ型コア１２と第２Ｅ型コア１３とは、凸部１８，２３の幅方向（矢印Ｒ１で示す方向）における先端面１８１，２３１の中央を中心とした１８０°の回転対称に組み合わせられている。このように回転対称に組み合わせられた第１Ｅ型コア１２側の凸部１８と第２Ｅ型コア１３側の凸部２３とは、中央磁脚１５の先端面１５１と中央磁脚２０の先端面２０１との間にギャップＧ１を形成する。
【００２０】
第１Ｅ型コア１２及び第２Ｅ型コア１３は、電磁鋼板を積層した積層構造、あるいは粉体を型成形した圧粉構造をなしている。
第１Ｅ型コア１２の中央磁脚１５及び第２Ｅ型コア１３の中央磁脚２０にはコイル１０が巻回される。これによりリアクトルが構成される。
【００２１】
第１の実施形態では以下の効果が得られる。
（１）積層構造で貫通孔形状のギャップを形成する場合は、電磁鋼板にプレス成形によって貫通孔を形成する必要があり、圧粉構造で貫通孔形状のギャップを形成する場合は、貫通孔を型成形する必要がある。貫通孔形状のギャップが小さい孔、あるいは狭いギャップである場合には、積層構造及び圧粉構造のいずれにおいても、形状精度の高い貫通孔形状のギャップの形成は容易でない。
【００２２】
これに対し、ギャップ形成用の凸部１８，２３の形成は、高い形状精度を得ることに関して、積層構造及び圧粉構造のいずれにおいても、貫通孔形状のギャップの形成に比べて容易である。
【００２３】
又、第１Ｅ型コア１２及び第２Ｅ型コア１３が同形同大である。そのため、積層構造では、第１Ｅ型コア１２及び第２Ｅ型コア１３を形成するためのプレス型を共用することができ、圧粉構造では、第１Ｅ型コア１２及び第２Ｅ型コア１３を形成するための成形型を共用することができる。
【００２４】
従って、ＥＥ型コアのリアクトルコア１１の製造が容易である。
（２）第１Ｅ型コア１２に関して単一の凸部１８の形成、及び第２Ｅ型コア１３に関して単一の凸部２３の形成は、所望のギャップＧ１を得る上で、最も簡便である。
【００２５】
（３）第１Ｅ型コア１２及び第２Ｅ型コア１３が左右対称形状であるため、第１Ｅ型コア１２と第２Ｅ型コア１３とを対向して組み合わせる作業において組み付けミスのおそれがない。
【００２６】
（４）中央磁脚１５，２０の先端面１５１，２０１にある凸部１８，２３は、中央磁脚１５，２０の幅方向における先端面１５１，２０１の中央に配置すれば、いずれも左右対称になる。つまり、中央磁脚１５，２０の先端に凸部１８，２３を設ける構成は、第１Ｅ型コア１２及び第２Ｅ型コア１３を左右対称形状にする上で最も簡単である。
【００２７】
本発明では図２〜図２４に示す実施形態も可能である。図２〜図２１のいずれの実施形態においても、第１Ｅ型コアと第２Ｅ型コアとは、同形同大である。
図２に示す第１Ｅ型コア１２Ａ及び第２Ｅ型コア１３Ａでは、中央磁脚１５，２０の先端面１５１，２０１に突設された凸部１８Ａ，２３Ａが中央磁脚１５，２０の幅方向に互いにずらされている。凸部１８Ａの先端面１８１と中央磁脚２０の先端面２０１とは、面接合されており、凸部２３Ａの先端面２３１と中央磁脚１５の先端面１５１は、面接合されている。先端面１５１と先端面２０１との間にはギャップＧ２が形成されている。第１Ｅ型コア１２Ａ及び第２Ｅ型コア１３Ａは、左右非対称である。
【００２８】
図３に示す第１Ｅ型コア１２Ｂ及び第２Ｅ型コア１３Ｂでは、中央磁脚１５，２０の先端面１５１，２０１に突設された凸部１８Ｂ，２３Ｂの先端面１８１，２３１が互いに部分的に面接合されている。先端面１５１と先端面２０１との間にはギャップＧ３が形成されている。第１Ｅ型コア１２Ｂ及び第２Ｅ型コア１３Ｂは、左右非対称である。
【００２９】
図４に示す第１Ｅ型コア１２Ｃ及び第２Ｅ型コア１３Ｃでは、中央磁脚１５，２０の先端面１５１，２０１に突設された凸部１８Ｃ，２３Ｃが中央磁脚１５，２０の幅方向に互いにずらされている。凸部１８Ｃの先端面１８１と中央磁脚２０の先端面２０１とは、面接合されており、凸部２３Ｃの先端面２３１と中央磁脚１５の先端面１５１とは、面接合されている。凸部１８Ｃの側面１８２と凸部２３Ｃの側面２３２とは、接触している。先端面１５１と先端面２０１との間にはギャップＧ４が形成されている。
【００３０】
第１外側磁脚１６の先端面１６１と第２外側磁脚２２の先端面２２１とには位置決め突起２４，２５が左右にずらされて突設されている。第２外側磁脚１７の先端面１７１と第１外側磁脚２１の先端面２１１とには位置決め突起２６，２７が左右にずらされて突設されている。第１外側磁脚１６と第２外側磁脚２２との間にはギャップはなく、第２外側磁脚１７と第１外側磁脚２１との間にはギャップはなく、位置決め突起２４，２５の側面２４１，２５１同士が接触しており、位置決め突起２６，２７の側面２６１，２７１同士が接触している。
【００３１】
第１Ｅ型コア１２Ｃ及び第２Ｅ型コア１３Ｃは、左右非対称であり、第１Ｅ型コア１２Ｃと第２Ｅ型コア１３Ｃとを接合した状態では、第１Ｅ型コア１２Ｃと第２Ｅ型コア１３Ｃとが互いに左右方向へずれることはない。
【００３２】
図５に示す第１Ｅ型コア１２Ｄ及び第２Ｅ型コア１３Ｄでは、中央磁脚１５，２０の先端面１５１，２０１同士が面接合している。第１外側磁脚１６，２１の先端面１６１，２１１には凸部１８Ｄ，２３Ｄが突設されている。凸部１８Ｄの先端面１８１と第２外側磁脚２２の先端面２２１とは、面接合されており、凸部２３Ｄの先端面２３１と第２外側磁脚１７の先端面１７１とは、面接合されている。先端面１６１と先端面２２１との間にはギャップＧ５が形成されており、先端面１７１と先端面２１１との間にはギャップＧ６が形成されている。第１Ｅ型コア１２Ｄ及び第２Ｅ型コア１３Ｄは、左右非対称である。
【００３３】
図６に示す第１Ｅ型コア１２Ｆ及び第２Ｅ型コア１３Ｆでは、中央磁脚１５，２０の先端面１５１，２０１同士が面接合している。第１外側磁脚１６，２１の先端面１６１，２１１には凸部１８Ｆ１，２３Ｆ１が突設されており、第２外側磁脚１７，２２の先端面１７１，２２１には凸部１８Ｆ２，２３Ｆ２が突設されている。凸部１８Ｆ１，２３Ｆ２の先端面１８６，２３３同士が面接合されており、凸部１８Ｆ２，２３Ｆ１の先端面１８３，２３６同士が面接合されている。先端面１６１，２２１間にはギャップＧ７が形成されており、先端面１７１，２１１間にはギャップＧ８が形成されている。第１Ｅ型コア１２Ｆ及び第２Ｅ型コア１３Ｆは、左右対称である。
【００３４】
図７に示す第１Ｅ型コア１２Ｈ及び第２Ｅ型コア１３Ｈでは、中央磁脚１５，２０の先端面１５１，２０１に突設された位置決め突起２８，２９が中央磁脚１５，２０の幅方向に互いにずらされている。位置決め突起２８の先端面２８１と中央磁脚２０の先端面２０１とは、面接合されており、位置決め突起２９の先端面２９１と中央磁脚１５の先端面１５１とは、面接合されている。位置決め突起２８の側面２８２と位置決め突起２９の側面２９２とは、接触している。先端面１５１と先端面２０１との間にはギャップはない。
【００３５】
第１外側磁脚１６，２１の先端面１６１，２１１には凸部１８Ｈ１，２３Ｈ１が突設されており、第２外側磁脚１７，２２の先端面１７１，２２１には凸部１８Ｈ２，２３Ｈ２が突設されている。凸部１８Ｈ１，２３Ｈ２は、互いに左右にずらされており、凸部１８Ｈ２，２３Ｈ１は、互いに左右にずらされている。凸部１８Ｈ１，２３Ｈ２の側面１８４，２３４同士が接触しており、凸部１８Ｈ２，２３Ｈ１の側面１８５，２３５同士が接触している。先端面１６１，２２１間にはギャップＧ９が形成されており、先端面１７１，２１１間にはギャップＧ１０が形成されている。
【００３６】
第１Ｅ型コア１２Ｈ及び第２Ｅ型コア１３Ｈは、左右非対称である。第１Ｅ型コア１２Ｈと第２Ｅ型コア１３Ｈとを接合した状態では、第１Ｅ型コア１２Ｈと第２Ｅ型コア１３Ｈとが互いに左右方向へずれることはない。
【００３７】
図８に示す第１Ｅ型コア１２Ｊ及び第２Ｅ型コア１３Ｊでは、第１外側磁脚１６の先端面１６１に突設された凸部１８Ｊ１と、第２外側磁脚２２の先端面２２１に突設された凸部２３Ｊ２とが外側磁脚１６，２２の幅方向に互いにずらされている。第２外側磁脚１７の先端面１７１に突設された凸部１８Ｊ２と、第１外側磁脚２１の先端面２１１に突設された凸部２３Ｊ１とが外側磁脚１７，２１の幅方向に互いにずらされている。先端面１６１，２２１間にはギャップＧ１１が形成されており、先端面１７１，２１１間にはギャップＧ１２が形成されている。中央磁脚１５，２０の先端面１５１，２０１は、互いに面接合されている。第１Ｅ型コア１２Ｊ及び第２Ｅ型コア１３Ｊは、左右非対称である。
【００３８】
図９に示す第１Ｅ型コア１２Ｋ及び第２Ｅ型コア１３Ｋでは、第１外側磁脚１６の先端面１６１に一対の凸部１８Ｋ１，１８Ｋ２が突設されており、第１外側磁脚２１の先端面２１１に一対の凸部２３Ｋ１，２３Ｋ２が突設されている。先端面１６１，２２１間にはギャップＧ１３が形成されており、先端面１７１，２１１間にはギャップＧ１４が形成されている。中央磁脚１５，２０の先端面１５１，２０１は、互いに面接合されている。第１Ｅ型コア１２Ｋ及び第２Ｅ型コア１３Ｋは、左右非対称である。
【００３９】
図１０に示す第１Ｅ型コア１２Ｍ及び第２Ｅ型コア１３Ｍでは、第１外側磁脚１６の先端面１６１に一対の凸部１８Ｍ１，１８Ｍ２が突設されており、第１外側磁脚２１の先端面２１１に一対の凸部２３Ｍ１，２３Ｍ２が突設されている。第２外側磁脚１７の先端面１７１には位置決め突起３０が突設されており、第２外側磁脚２２の先端面２２１には位置決め突起３１が突設されている。
【００４０】
位置決め突起３０は、一対の凸部２３Ｍ１，２３Ｍ２間に嵌合しており、位置決め突起３１は、一対の凸部１８Ｍ１，１８Ｍ２間に嵌合している。位置決め突起３１の先端面３１１と先端面１６１とは離れており、位置決め突起３０の先端面３０１と先端面２１１とは離れている。位置決め突起３１の先端面３１１と先端面１６１との間にはギャップＧ１５が形成されており、位置決め突起３０の先端面３０１と先端面２１１との間にはギャップＧ１６が形成されている。中央磁脚１５，２０の先端面１５１，２０１は、互いに面接合されている。第１Ｅ型コア１２Ｍ及び第２Ｅ型コア１３Ｍは、左右非対称である。第１Ｅ型コア１２Ｍと第２Ｅ型コア１３Ｍとを接合した状態では、第１Ｅ型コア１２Ｍと第２Ｅ型コア１３Ｍとが互いに左右方向へずれることはない。
【００４１】
図１１に示す第１Ｅ型コア１２Ｎ及び第２Ｅ型コア１３Ｎでは、中央磁脚１５，２０の先端面１５１，２０１同士が面接合している。第１外側磁脚１６，２１の先端面１６１，２１１には凸部１８Ｎ，２３Ｎが突設されている。凸部２３Ｎは、第１Ｅ型コア１２Ｎ側の凸部１８Ｎと同形同大であり、第１Ｅ型コア１２Ｎと第２Ｅ型コア１３Ｎとは、同形同大である。凸部１８Ｎ，２３Ｎの断面形状〔矢印Ｒ１で示す幅方向と平行、且つ図１１の紙面と垂直な方向（コア１２Ｎ，１３Ｎの厚み方向）と垂直な仮想平面上での形状〕は、台形であり、凸部１８Ｎ，２３Ｎの根元の幅は、第１外側磁脚１６，２１の幅よりも小さい。
【００４２】
凸部１８Ｎの先端面１８１と第２外側磁脚２２の先端面２２１とは、面接合されており、凸部２３Ｎの先端面２３１と第２外側磁脚１７の先端面１７１とは、面接合されている。先端面１６１と先端面２２１との間にはギャップＧ１７が形成されており、先端面１７１と先端面２１１との間にはギャップＧ１８が形成されている。第１Ｅ型コア１２Ｎ及び第２Ｅ型コア１３Ｎは、左右非対称である。
【００４３】
図１２に示す第１Ｅ型コア１２Ｐ及び第２Ｅ型コア１３Ｐでは、中央磁脚１５，２０の先端面１５１，２０１同士が面接合している。第１外側磁脚１６，２１の先端部には凸部１８Ｐ，２３Ｐが突設されている。凸部２３Ｐは、第１Ｅ型コア１２Ｐ側の凸部１８Ｐと同形同大であり、第１Ｅ型コア１２Ｐと第２Ｅ型コア１３Ｐとは、同形同大である。凸部１８Ｐ，２３Ｐの断面形状は、台形であり、凸部１８Ｐ，２３Ｐの根元の幅は、第１外側磁脚１６，２１の幅と同じである。
【００４４】
凸部１８Ｐの先端面１８１と第２外側磁脚２２の先端面２２１とは、面接合されており、凸部２３Ｐの先端面２３１と第２外側磁脚１７の先端面１７１とは、面接合されている。凸部１８Ｐ（第１外側磁脚１６の先端部）と先端面２２１との間にはギャップＧ１９が形成されており、先端面１７１と凸部２３Ｐ（第１外側磁脚２１の先端部）との間にはギャップＧ２０が形成されている。第１Ｅ型コア１２Ｐ及び第２Ｅ型コア１３Ｐは、左右非対称である。
【００４５】
図１３に示す第１Ｅ型コア１２Ｑ及び第２Ｅ型コア１３Ｑでは、中央磁脚１５，２０の先端面１５１，２０１同士が面接合している。第１外側磁脚１６，２１の先端部には凸部１８Ｑ，２３Ｑが突設されている。凸部２３Ｑは、第１Ｅ型コア１２Ｑ側の凸部１８Ｑと同形同大であり、第１Ｅ型コア１２Ｑと第２Ｅ型コア１３Ｑとは、同形同大である。凸部１８Ｑ，２３Ｑの断面形状は、側面が凸曲面から凹曲面に変わりながら先細りとなる形状であり、凸部１８Ｑ，２３Ｑの根元の幅は、第１外側磁脚１６，２１の幅と同じである。
【００４６】
凸部１８Ｑの先端面１８１と第２外側磁脚２２の先端面２２１とは、面接合されており、凸部２３Ｑの先端面２３１と第２外側磁脚１７の先端面１７１とは、面接合されている。凸部１８Ｑと先端面２２１との間にはギャップＧ２１が形成されており、先端面１７１と凸部２３Ｑとの間にはギャップＧ２２が形成されている。第１Ｅ型コア１２Ｑ及び第２Ｅ型コア１３Ｑは、左右非対称である。
【００４７】
図１４に示す第１Ｅ型コア１２Ｓ及び第２Ｅ型コア１３Ｓでは、中央磁脚１５，２０の先端面１５１，２０１同士が面接合している。第１外側磁脚１６，２１の先端部には凸部１８Ｓ，２３Ｓが突設されている。凸部２３Ｓは、第１Ｅ型コア１２Ｓ側の凸部１８Ｓと同形同大であり、第１Ｅ型コア１２Ｓと第２Ｅ型コア１３Ｓとは、同形同大である。凸部１８Ｓ，２３Ｓの断面形状は、第１外側磁脚１６，２１の先端部の一側面を傾斜面にした台形であり、凸部１８Ｓ，２３Ｓの根元の幅は、第１外側磁脚１６，２１の幅と同じである。
【００４８】
凸部１８Ｓの先端面１８１と第２外側磁脚２２の先端面２２１とは、面接合されており、凸部２３Ｓの先端面２３１と第２外側磁脚１７の先端面１７１とは、面接合されている。凸部１８Ｓと先端面２２１との間にはギャップＧ２３が形成されており、先端面１７１と凸部２３Ｓとの間にはギャップＧ２４が形成されている。第１Ｅ型コア１２Ｓ及び第２Ｅ型コア１３Ｓは、左右非対称である。
【００４９】
図１５に示す第１Ｅ型コア１２Ｔ及び第２Ｅ型コア１３Ｔでは、中央磁脚１５，２０の先端面１５１，２０１同士が面接合している。第１外側磁脚１６，２１の先端部には凸部１８Ｔ，２３Ｔが突設されている。凸部２３Ｔは、第１Ｅ型コア１２Ｔ側の凸部１８Ｔと同形同大であり、第１Ｅ型コア１２Ｔと第２Ｅ型コア１３Ｔとは、同形同大である。凸部１８Ｔ，２３Ｔの断面形状は、第１外側磁脚１６，２１の先端部を凸曲面にした形状であり、凸部１８Ｔ，２３Ｔの根元の幅は、第１外側磁脚１６，２１の幅と同じである。
【００５０】
凸部１８Ｔの先端と第２外側磁脚２２の先端面２２１とは、線接合されており、凸部２３Ｔの先端と第２外側磁脚１７の先端面１７１とは、線接合されている。凸部１８Ｔと先端面２２１との間にはギャップＧ２５が形成されており、先端面１７１と凸部２３Ｔとの間にはギャップＧ２６が形成されている。第１Ｅ型コア１２Ｔ及び第２Ｅ型コア１３Ｔは、左右非対称である。
【００５１】
図１６に示す第１Ｅ型コア１２Φ及び第２Ｅ型コア１３Φでは、中央磁脚１５，２０の先端面１５１，２０１同士が面接合している。第１外側磁脚１６，２１の先端部には凸部１８Φ，２３Φが突設されている。凸部２３Φは、第１Ｅ型コア１２Φ側の凸部１８Φと同形同大であり、第１Ｅ型コア１２Φと第２Ｅ型コア１３Φとは、同形同大である。凸部１８Φ，２３Φの断面形状は、半円弧であり、凸部１８Φ，２３Φの根元の幅は、第１外側磁脚１６，２１の幅と同じである。
【００５２】
凸部１８Φの先端と第２外側磁脚２２の先端面２２１とは、線接合されており、凸部２３Φの先端と第２外側磁脚１７の先端面１７１とは、線接合されている。凸部１８Φと先端面２２１との間にはギャップＧ２７が形成されており、先端面１７１と凸部２３Φとの間にはギャップＧ２８が形成されている。第１Ｅ型コア１２Φ及び第２Ｅ型コア１３Φは、左右非対称である。
【００５３】
図１７に示す第１Ｅ型コア１２Ｖ及び第２Ｅ型コア１３Ｖでは、中央磁脚１５，２０の先端面１５１，２０１同士が面接合している。第１外側磁脚１６，２１の先端部には凸部１８Ｖ，２３Ｖが突設されている。凸部２３Ｖは、第１Ｅ型コア１２Ｖ側の凸部１８Ｖと同形同大であり、第１Ｅ型コア１２Ｖと第２Ｅ型コア１３Ｖとは、同形同大である。凸部１８Ｖ，２３Ｖの断面形状は、１／ｎ円弧（ｎは、２より大きい数であり、図示の例では、ｎ＝４）であり、凸部１８Ｖ，２３Ｖの根元の幅は、第１外側磁脚１６，２１の幅と同じである。
【００５４】
凸部１８Ｖの先端と第２外側磁脚２２の先端面２２１とは、線接合されており、凸部２３Ｖの先端と第２外側磁脚１７の先端面１７１とは、線接合されている。凸部１８Ｖと先端面２２１との間にはギャップＧ２９が形成されており、先端面１７１と凸部２３Ｖとの間にはギャップＧ３０が形成されている。第１Ｅ型コア１２Ｖ及び第２Ｅ型コア１３Ｖは、左右非対称である。
【００５５】
図１８に示す第１Ｅ型コア１２Ｘ及び第２Ｅ型コア１３Ｘでは、中央磁脚１５，２０の先端面１５１，２０１同士が面接合している。第１外側磁脚１６の先端面１６１には一対の凸部１８Ｘ１，１８Ｘ２が突設されており、第１外側磁脚２１の先端面２１１には一対の凸部２３Ｘ１，２３Ｘ２が突設されている。凸部２３Ｘ１，２３Ｘ２は、第１Ｅ型コア１２Ｘ側の凸部１８Ｘ１，１８Ｘ２と同形同大であり、第１Ｅ型コア１２Ｘと第２Ｅ型コア１３Ｘとは、同形同大である。凸部１８Ｘ１，１８Ｘ２，２３Ｘ１，２３Ｘ２の断面形状は、１／ｍ円弧（ｍは、２以上の数であり、図示の例では、ｎ＝２）である。
【００５６】
凸部１８Ｘ１，１８Ｘ２の先端と第２外側磁脚２２の先端面２２１とは、線接合されており、凸部２３Ｘ１，２３Ｘ２の先端と第２外側磁脚１７の先端面１７１とは、線接合されている。先端面１６１と先端面２２１との間にはギャップＧ３１が形成されており、先端面１７１と先端面２１１との間にはギャップＧ３２が形成されている。第１Ｅ型コア１２Ｘ及び第２Ｅ型コア１３Ｘは、左右非対称である。
【００５７】
図１９に示す第１Ｅ型コア１２Ｙ及び第２Ｅ型コア１３Ｙでは、第１外側磁脚１６Ｙ，２１Ｙの長さ〔第１の実施形態の図１（ｂ）における長さＬ１，Ｌ４を参照〕と第２外側磁脚１７Ｙ，２２Ｙの長さ〔第１の実施形態の図１（ｂ）における長さＬ２，Ｌ５を参照〕とが異なっている。第１外側磁脚１６，２１には凸部１８Ｙ，２３Ｙが突設されている。先端面１６１，２２１間にはギャップＧ３３が形成されており、先端面１７１，２１１間にはギャップＧ３４が形成されている。
【００５８】
図２０に示す第１Ｅ型コア１２Ｚ及び第２Ｅ型コア１３Ｚでは、中央磁脚１５，２０の先端面１５１，２０１同士が面接合している。第１外側磁脚１６，２１の先端部には凸部１８Ｚ，２３Ｚが突設されている。凸部２３Ｚは、第１Ｅ型コア１２Ｚ側の凸部１８Ｚと同形同大である。凸部１８Ｚ，２３Ｚの断面形状は、二等辺三角形であり、凸部１８Ｚ，２３Ｚの根元の幅は、第１外側磁脚１６，２１の幅と同じである。
【００５９】
第２外側磁脚１７，２２の先端部には凹面３２Ｚ，３３Ｚが形成されている。凹面３３Ｚは、第１Ｅ型コア１２Ｚ側の凹面３２Ｚと同形同大であり、第１Ｅ型コア１２Ｚと第２Ｅ型コア１３Ｚとは、同形同大である。凹面３２Ｚ，３３Ｚの断面形状は、二等辺三角形の二等辺であり、凹面３２Ｚ，３３Ｚの二等辺の頂角θ１は、凸部１８Ｚ，２３Ｚの二等辺三角形の頂角θ２よりも大きい。
【００６０】
凸部１８Ｚの頂と凹面３３Ｚの底とは、線接合されており、凸部２３Ｚの頂と凹面３２Ｚの底とは、線接合されている。第１Ｅ型コア１２Ｚと第２Ｅ型コア１３Ｚとを接合した状態では、第１Ｅ型コア１２Ｚと第２Ｅ型コア１３Ｚとが互いに左右方向へずれることはない。
【００６１】
凸部１８Ｚと凹面３３Ｚとの間にはギャップＧ３５が形成されており、凸部２３Ｚと凹面３２Ｚとの間にはギャップＧ３６が形成されている。第１Ｅ型コア１２Ｚ及び第２Ｅ型コア１３Ｚは、左右非対称である。
【００６２】
図２１に示す第１Ｅ型コア１２Γ及び第２Ｅ型コア１３Γでは、中央磁脚１５，２０の先端面１５１，２０１同士が面接合している。第１外側磁脚１６，２１の先端部には凸部１８Γ，２３Γが突設されている。凸部２３Γは、第１Ｅ型コア１２Γ側の凸部１８Γと同形同大である。凸部１８Γ，２３Γの断面形状は、円弧であり、凸部１８Γ，２３Γの根元の幅は、第１外側磁脚１６，２１の幅と同じである。
【００６３】
第２外側磁脚１７，２２の先端部には凹面３２Γ，３３Γが形成されている。凹面３３Γは、第１Ｅ型コア１２Γ側の凹面３２Γと同形同大であり、第１Ｅ型コア１２Γと第２Ｅ型コア１３Γとは、同形同大である。凹面３２Γ，３３Γの断面形状は、円弧であり、凹面３２Γ，３３Γの円弧の曲率半径は、凸部１８Γ，２３Γの円弧の曲率半径よりも大きい。
【００６４】
凸部１８Γの頂と凹面３３Γの底とは、線接合されており、凸部２３Γの頂と凹面３２Γの底とは、線接合されている。凸部１８Γと凹面３３Γとの間にはギャップＧ３７が形成されており、凸部２３Γと凹面３２Γとの間にはギャップＧ３８が形成されている。第１Ｅ型コア１２Γ及び第２Ｅ型コア１３Γは、左右非対称である。
【００６５】
次に、図２２の実施形態を説明する。
誘導機器としてのリアクトルに備えられたリアクトルコア３４は、第１Ｕ型コア３５と第２Ｕ型コア３６とを対向して組み合わせたＵＵ型コアにて構成されている。
【００６６】
第１Ｕ型コア３５は、連結部３７と一対の磁脚（第１磁脚３８及び第２磁脚３９）とを備えている。第１磁脚３８の長さＬ７及び第２磁脚３９の長さＬ８は、同じであり、第１磁脚３８の幅Ｈ７（矢印Ｒ１で示す方向の長さ）及び第２磁脚３９の幅Ｈ８（矢印Ｒ１で示す方向の長さ）は、同じである。第１磁脚３８の幅方向（矢印Ｒ１で示す方向）における先端面３８１の中央部には凸部４５が突設されている。
【００６７】
第２Ｕ型コア３６は、連結部４０と一対の磁脚（第１磁脚４１及び第２磁脚４２）とを備えている。第１磁脚４１の長さＬ９及び第２磁脚４２の長さＬ１０は、長さＬ７，Ｌ８と同じであり、第１磁脚４１の幅Ｈ９（矢印Ｒ１で示す方向の長さ）及び第２磁脚４２の幅Ｈ１０（矢印Ｒ１で示す方向の長さ）は、幅Ｈ７，Ｈ８と同じである。第１磁脚４１の幅方向（矢印Ｒ１で示す方向）における先端面４１１の中央部には凸部４６が突設されている。
【００６８】
第１Ｕ型コア３５の第１磁脚３８と第２Ｕ型コア３６の第２磁脚４２とは、対向しており、凸部４５の先端面４５１と第２磁脚４２の先端面４２１とが面接合している。第２Ｕ型コア３６の第１磁脚４１と第１Ｕ型コア３５の第２磁脚３９とは、対向しており、凸部４６の先端面４６１と第１磁脚３９の先端面３９１とが面接合している。
【００６９】
同形同大の第１Ｕ型コア３５と第２Ｕ型コア３６とは、１８０°の回転対称に組み合わせられている。このように回転対称に組み合わせられた第１Ｕ型コア３５側の凸部４５は、第１磁脚３８の先端面３８１と第２磁脚４２の先端面４２１との間にギャップＧ３９を形成する。第２Ｕ型コア３６側の凸部４６は、第１磁脚４１の先端面４１１と第２磁脚３９の先端面３９１との間にギャップＧ４０を形成する。
【００７０】
第１Ｕ型コア３５の第１磁脚３８及び第２Ｕ型コア３６の第２磁脚４２にはコイル４３が磁脚３８，４２を取り巻くように設けられている。第１Ｕ型コア３５の第２磁脚３９及び第２Ｕ型コア３６の第１磁脚４１にはコイル４４が磁脚３９，４１を取り巻くように設けられている。これによりリアクトルが構成される。
【００７１】
本実施形態では、第１の実施形態における（１），（２）項と同様の効果が得られる。
次に、図２３の実施形態を説明する。
図２３に示す第１Ｕ型コア３５Δ及び第２Ｕ型コア３６Δでは、第１磁脚３８Δ，４１Δの長さ〔図２２における長さＬ７，Ｌ９を参照〕と第２磁脚３９Δ，４２Δの長さ〔図２２における長さＬ８，Ｌ１０を参照〕とが異なっている。その他の構成は、図２２の実施形態と同じである。
【００７２】
次に、図２４の実施形態を説明する。
図２４に示す第１Ｕ型コア３５Λ及び第２Ｕ型コア３６Λでは、図１３の実施形態における凸部１８Ｑ，２３Ｑと同形状の突部４５Λ，４６Λが磁脚３８，４１に設けられている。突部４５Λと先端面４２１との間にはギャップＧ４１が形成されており、突部４６Λと先端面３９１との間にはギャップＧ４２が形成されている。
【００７３】
本発明では以下のような実施形態も可能である。
○中央磁脚１５，２０間、第１外側磁脚１６と第２外側磁脚２２との間及び第１外側磁脚２１と第２磁脚３９との間のいずれにもギャップを設けてもよい。
【００７４】
○図６、図８〜図２１の各実施形態の外側磁脚のギャップ形成構造をＵＵ型コアに適用してもよい。
○ＥＥ型コアを備えたトランスに本発明を適用してもよい。
【００７５】
○ＵＵ型コアを備えたトランスに本発明を適用してもよい。
前記した実施形態から把握できる技術思想について以下に記載する。
（イ）前記コアは、左右非対称であり、前記一対のコアの一方の前記ギャップ形成用凸部の先端と、前記一対のコアの他方の前記ギャップ形成用凸部の先端とは、非接合である請求項３に記載の誘導機器。
【００７６】
（ロ）前記ギャップ形成用凸部は、前記外側磁脚の先端に設けられている請求項３に記載の誘導機器。
（ハ）前記ギャップ形成用凸部は、前記外側磁脚の先端に複数設けられている請求項３に記載の誘導機器。
【００７７】
（ニ）前記コアは、左右非対称であり、第１Ｅ型コアと２Ｅ型コアとの左右方向へのずれを阻止する位置決め突起が設けられている請求項３乃至請求項５のいずれか１項に記載の誘導機器。
【符号の説明】
【００７８】
１１，３４…リアクトルコア、１２，１２Ａ，１２Ｂ，１２Ｃ，１２Ｄ，１２Ｆ，１２Ｈ，１２Ｊ，１２Ｋ，１２Ｍ，１２Ｎ，１２Ｐ，１２Ｑ，１２Ｓ，１２Ｔ，１２Φ，１２Ｖ，１２Ｘ，１２Ｙ，１２Ｚ，１２Γ…第１Ｅ型コア、１３，１３Ａ，１３Ｂ，１３Ｃ，１３Ｄ，１３Ｆ，１３Ｈ，１３Ｊ，１３Ｋ，１３Ｍ，１３Ｎ，１３Ｐ，１３Ｑ，１３Ｓ，１３Ｔ，１３Φ，１３Ｖ，１３Ｘ，１３Ｙ，１３Ｚ，１３Γ…第２Ｅ型コア、１５，２０…中央磁脚、１６，２１…第１外側磁脚、１７，２２…第２外側磁脚、１８，１８Ａ，１８Ｂ，１８Ｃ，１８Ｄ，１８Ｆ１，１８Ｆ２，１８Ｈ１，１８Ｈ２，１８Ｊ１，１８Ｊ２，１８Ｋ１，１８Ｋ２，１８Ｍ１，１８Ｍ２，１８Ｎ，１８Ｐ，１８Ｑ，１８Ｓ，１８Ｔ，１８Φ，１８Ｖ，１８Ｘ１，１８Ｘ２，１８Ｙ，１８Ｚ，１８Γ，２３，２３Ａ，２３Ｂ，２３Ｃ，２３Ｄ，２３Ｆ１，２３Ｆ２，２３Ｈ１，２３Ｈ２，２３Ｊ１，２３Ｊ２，２３Ｋ１，２３Ｋ２，２３Ｍ１，２３Ｍ２，２３Ｎ，２３Ｐ，２３Ｑ，２３Ｓ，２３Ｔ，２３Φ，２３Ｖ，２３Ｘ１，２３Ｘ２，２３Ｙ，２３Ｚ，２３Γ，４５，４５Λ，４６，４６Λ…凸部、３５，３５Δ，３５Λ…第１Ｕ型コア、３６，３６Δ，３６Λ…第２Ｕ型コア、３８，３８Δ，４１，４１Δ…第１磁脚、３９，３９Δ，４２，４２Δ…第２磁脚、Ｇ１〜Ｇ４２…ギャップ。
【図１】
2011176253.tif 000003
【図２】
2011176253.tif 000004
【図３】
2011176253.tif 000005
【図４】
2011176253.tif 000006
【図５】
2011176253.tif 000007
【図６】
2011176253.tif 000008
【図７】
2011176253.tif 000009
【図８】
2011176253.tif 000010
【図９】
2011176253.tif 000011
【図１０】
2011176253.tif 000012
【図１１】
2011176253.tif 000013
【図１２】
2011176253.tif 000014
【図１３】
2011176253.tif 000015
【図１４】
2011176253.tif 000016
【図１５】
2011176253.tif 000017
【図１６】
2011176253.tif 000018
【図１７】
2011176253.tif 000019
【図１８】
2011176253.tif 000020
【図１９】
2011176253.tif 000021
【図２０】
2011176253.tif 000022
【図２１】
2011176253.tif 000023
【図２２】
2011176253.tif 000024
【図２３】
2011176253.tif 000025
【図２４】
2011176253.tif 000026